(57)【特許請求の範囲】
【請求項１】
撮像レンズを内部に保持するレンズバレルを、内部に保持し、かつ、光軸方向に駆動するレンズ駆動部と、
光路を遮断または開放して、前記撮像レンズに入射する光量を制御するシャッタ部と、
前記撮像レンズを通して受光した光信号を電気信号に変換する撮像素子を有する撮像ユニットとを備えたカメラモジュールであって、
前記シャッタ部、レンズ駆動部、撮像ユニットが、光軸方向にこの順に積層されており、
前記シャッタ部側を上方、前記撮像ユニット側を下方としたとき、
前記レンズバレルが、前記シャッタ部側の先端部に、前記レンズ駆動部の有する前記上方側の面から前記シャッタ部側へ突出した突出部を有しており、
前記シャッタ部は、シャッタ羽根と、前記シャッタ羽根を駆動するための駆動機構と、前記シャッタ羽根および前記駆動機構が収容される中空のケースと、前記ケースの前記上方側の端部に設けられた蓋とを備え、
前記シャッタ部における前記ケースの前記下方側の面に、前記レンズバレルの突出部が内部に収容される凹部が形成されており、
前記レンズ駆動部は、前記撮像レンズの全可動範囲内において、前記撮像レンズとシャッタ部とが互いに接触しないように、前記撮像レンズを駆動することを特徴とするカメラモジュール。
【請求項２】
上記撮像レンズの突出部は、上記レンズ駆動部が撮像レンズを駆動していない状態において、上記レンズ駆動部の天面から突出していることを特徴とする請求項１に記載のカメラモジュール。
【請求項３】
上記レンズ駆動部は、電磁力により撮像レンズを光軸方向に駆動させるようになっており、
上記シャッタ部は、電磁力により、光路を遮断または開放するようになっており、
上記レンズ駆動部と上記シャッタ部との間に、磁気遮蔽板が設けられていることを特徴とする請求項１または２に記載のカメラモジュール。
【請求項４】
上記レンズ駆動部は、上記撮像レンズの全駆動範囲内において、上記撮像レンズと上記磁気遮蔽板とが互いに接触しないように、上記撮像レンズを駆動することを特徴とする請求項３に記載のカメラモジュール。
【請求項５】
上記磁気遮蔽板は、光路上に開口が形成されており、
上記磁気遮蔽板の開口の直径は、上記レンズ駆動部に形成された上記撮像レンズを保持するための開口の直径よりも小さく、上記撮像レンズの突出部の直径よりも大きいことを特徴とする請求項３または４に記載のカメラモジュール。
【請求項６】
上記レンズ駆動部は、光軸方向に可動の可動部と、上記可動部を内部に収容する共に光軸方向に光路を確保するための開口が形成された収容部と、上記可動部を光軸方向に移動させる駆動部とを備え、
上記可動部は、内部に上記撮像レンズを保持するレンズバレルと、上記レンズバレルを内部に保持するレンズホルダとを備え、
上記収容部は、上記レンズ駆動部の底部を構成すると共に上記開口が形成されたベースを備え、
上記レンズホルダの底面に、上記ベースの開口を包囲し、上記ベースの開口から異物が出ていく経路を遮断するように形成された突起、または、上記ベースのレンズホルダの底面との対向面に形成された溝を備えることを特徴とする請求項１〜５のいずれか１項に記載のカメラモジュール。
【発明の詳細な説明】
【技術分野】
【０００１】
本発明は、本発明は、携帯電話等の電子機器に搭載されるカメラモジュールに関するものであって、特にメカニカルシャッタを搭載したカメラモジュールに関するものである。
【背景技術】
【０００２】
例えば、撮像素子としてＣＣＤ（Ｃｈａｒｇｅ  Ｃｏｕｐｌｅｄ  Ｄｅｖｉｃｅｓ）を用いたカメラモジュールでは、スミアと呼ばれる現象が起きる。スミアとは、撮影しようとした対象物の中に、太陽や電灯などの強い光が含まれ、その光が撮像素子に入射した場合に、撮影画像に白い帯状の部分が発生してしまう現象である。スミアは、ＣＣＤにおいて、連続的に電荷があふれ出すことによって生じる。具体的には、ＣＣＤに形成された受光素子（画素）が強い光を受光すると、受光素子の一部で電荷があふれ出す。その結果、受光素子間の電荷移動の際に、連鎖的に電荷があふれ出し、スミアが発生する。
【０００３】
そこで、このようなスミアを回避するため、カメラモジュールには、メカニカルシャッタが搭載される場合が多い。メカニカルシャッタは、スミアが起こる前に、スミアの原因となる強い光を遮断することによって、スミアの発生を防ぐ。
【０００４】
例えば、特許文献１および２には、メカニカルシャッタを備えたカメラモジュールが開示されている。図７は、特許文献１に開示されたカメラモジュールの断面図である。一方、図８は、特許文献２に開示されたメカニカルシャッタの断面図である。
【０００５】
具体的には、図７のように、特許文献１のカメラモジュール１１０は、透光板１１２、撮像光学系１１３、撮像素子１１４、基板１１５、シャッタ羽根１１６，１１７などが、光軸方向に積層されて配置されている。また、シャッタ羽根１１６，１１７を電磁駆動するためのシャッタ用アクチュエータ１１８が、撮像光学系１１３の側方に配置されている。
【０００６】
一方、図８のように、特許文献２に開示されたカメラモジュール用のメカニカルシャッタ１２０は、中央部に凹部１２１が設けられており、複数枚のシャッタ羽根１２２，１２３、絞り羽根１２４，補助羽根１２５を駆動するための駆動機構１２６，１２７が、凹部１２１の両側に分散して配置されている。なお、特許文献２には、撮像レンズ等の撮像光学系の配置構造については明記されていない。
【０００７】
一方、オートフォーカス機能を有するカメラモジュールを携帯電話に用いる例が近年増加してきている。オートフォーカス機能は、カメラモジュールにレンズ駆動装置を搭載することによって実現される。レンズ駆動装置は、ＶＣＭ（Voice Coil Motor ボイスコイルモータ）タイプ、ステッピングモータを利用するタイプ、圧電素子を利用するタイプなど、様々なタイプが存在し、すでに市場に流通している。
【０００８】
例えば、特許文献３には、ＶＣＭタイプのレンズ駆動装置が、開示されている。図１０は、特許文献１のレンズ駆動装置の断面図である。図１０のレンズ駆動装置２００は、レンズ２０１を中央に搭載したホルダ２０２を備えている。ホルダ２０２の上下には、板バネ２０３Ｕ，２０３Ｌが、設けられている。これにより、レンズ２０１が、光軸方向に可動するように、ホルダ２０２が支持される。
【０００９】
また、ホルダ２０２のフランジ部には、コイル２０４が固定されている。コイル２０４は、ヨーク２０５内に収容されている。ヨーク２０５の内側面には、コイル２０４と間隔をおいて対向配置された永久磁石２０６が形成されている。このような構成により、レンズ駆動装置２００は、電磁力による駆動が可能となる。
【００１０】
一方、ベース２０７には、３つの突起２０８が形成されている。レンズ駆動装置２００の組立て状態では、各突起２０８がホルダ２０２を支持している。
【００１１】
ヨーク２０５の上方に設けられたカバー２０９の中央部、および、ベース２０７の中央部には、それぞれ、開口２１０，２１１が形成されている。開口２１０，２１１は、光を透過させるためのものである。
【特許文献１】ＷＯ２００５／０３６２５１（２００５年４月２１日公開）
【特許文献２】特開２００７−３１６４７７号公報（２００７年１２月６日公開）
【特許文献３】特開２００６−０５０６９３号公報（２００６年２月１６日公開）
【発明の開示】
【発明が解決しようとする課題】
【００１２】
しかし、従来のカメラモジュールでは、メカニカルシャッタとレンズ駆動装置とを搭載する場合に、小型化および薄型化を同時に実現できないという問題がある。
【００１３】
具体的には、図７のようなメカニカルシャッタを備えたカメラモジュール１１０に、オートフォーカス機能を付与するために、レンズ駆動装置を搭載する場合、撮像光学系１１３の周囲に、永久磁石等を備えたレンズ駆動装置を設けることになる。さらに、そのレンズ駆動装置の側方に、シャッタ用アクチュエータ１１８を設けることになる。その結果、レンズ駆動装置のサイズ（横方向の幅）が大型化する。
【００１４】
一方、このようなカメラモジュールの大型化を回避するため、メカニカルシャッタとレンズ駆動装置とを単純に積み重ねて配置する構造が考えられる。例えば、図９のレンズ駆動装置に、図８のメカニカルシャッタを単純に積層したカメラモジュールが考えられる。しかし、そのように積層した場合、図８のメカニカルシャッタの分、図９のレンズ駆動装置の厚さが増える。
【００１５】
特に、カメラ付き携帯電話機では、小型化および薄型化の要求が高まる一方である。このため、レンズ駆動装置の側方にシャッタ用アクチュエータを設けるスペースは殆ど存在しない。また、メカニカルシャッタをレンズ駆動装置に積層することは、薄型化の要求に逆行することになる。
【００１６】
そこで、本発明は、上記従来の問題点に鑑みてなされたものであり、その目的は、メカニカルシャッタとレンズ駆動部とを備えたカメラモジュールにおいて、小型化および薄型化を同時に実現することにある。
【課題を解決するための手段】
【００１７】
本発明のカメラモジュールは、上記の課題を解決するために、
撮像レンズを内部に保持するレンズバレルを、内部に保持し、かつ、光軸方向に駆動するレンズ駆動部と、
光路を遮断または開放して、前記撮像レンズに入射する光量を制御するシャッタ部と、
前記撮像レンズを通して受光した光信号を電気信号に変換する撮像素子を有する撮像ユニットとを備えたカメラモジュールであって、
前記シャッタ部、レンズ駆動部、撮像ユニットが、光軸方向にこの順に積層されており、
前記シャッタ部側を上方、前記撮像ユニット側を下方としたとき、
前記レンズバレルが、前記シャッタ部側の先端部に、前記レンズ駆動部の有する前記上方側の面から前記シャッタ部側へ突出した突出部を有しており、
前記シャッタ部は、前記シャッタ羽根と、前記シャッタ羽根を駆動するための駆動機構と、前記シャッタ羽根および前記駆動機構が収容される中空のケースと、前記ケースの前記上方側の端部に設けられた蓋とを備え、
前記シャッタ部における前記ケースの前記下方側の面に、前記レンズバレルの突出部が内部に収容される凹部が形成されており、
前記レンズ駆動部は、前記撮像レンズの全可動範囲内において、前記撮像レンズとシャッタ部とが互いに接触しないように、前記撮像レンズを駆動する
ことを特徴としている。
【００１８】
本発明のカメラモジュールは、シャッタ部（メカニカルシャッタ）を備えているため、スミアの発生を防ぐことができる。さらに、レンズ駆動部を備えるため、撮像レンズを光軸方向に移動させて焦点調整機能を実現することができる。
【００１９】
上記の発明によれば、シャッタ部とレンズ駆動部とを備えたカメラモジュールにおいて、シャッタ部が、レンズ駆動部の天面上に設けられている。このため、シャッタ部を設けてもレンズ駆動部の幅が広がらない。従って、シャッタ部を設けてもカメラモジュールが大型化しない。
【００２０】
しかも、上記の発明によれば、撮像レンズは、突出部を有しており、撮像レンズの先端部が、レンズ駆動部の天面から突出している。言い換えれば、レンズ駆動部の天面は、撮像レンズの突出部よりも低い位置にある。さらに、撮像レンズの突出部は、シャッタ部の裏面に形成された凹部内に収容される。このため、レンズ駆動部の天面にシャッタ部を積層した後のシャッタ部およびレンズ駆動部の厚さ（見かけ上の厚さ）は、積層前のシャッタ部およびレンズ駆動部の各々の厚さの合計よりも、レンズ駆動部の天面が撮像レンズの突出部よりも低い分、小さくなる。従って、レンズ駆動部上にシャッタ部を積層しても、カメラモジュールが厚くなりすぎない。
【００２１】
このように、上記の発明によれば、メカニカルシャッタとレンズ駆動部とを備えたカメラモジュールにおいて、小型化および薄型化を同時に実現することができる。
【００２２】
また、上記の発明によれば、撮像レンズの全可動範囲において、撮像レンズとシャッタ部とが互いに接触しない。つまり、撮像レンズとシャッタ部との間には、常に隙間が形成される。これにより、撮像レンズが、シャッタ部に接触しない。従って、撮像レンズの位置ずれ（焦点調整のずれ）を防ぐことができる。
【００２３】
本発明のカメラモジュールでは、上記撮像レンズの突出部は、レンズ駆動部が撮像レンズを駆動していない状態において、レンズ駆動部の天面から突出していることが好ましい。
【００２４】
本発明のカメラモジュールでは、レンズ駆動部は、電磁力により撮像レンズを光軸方向に駆動させるようになっており、
シャッタ部は、電磁力により、光路を遮断または開放するようになっており、
レンズ駆動部とシャッタ部との間に、磁気遮蔽板が設けられていることが好ましい。
【００２５】
上記の発明によれば、レンズ駆動部およびシャッタ部が、いずれも、電磁力により駆動する。このため、例えば、レンズ駆動部を駆動したときの磁界が漏洩し、漏洩した磁界が、シャッタ部を誤作動させる可能性がある。
【００２６】
上記の発明によれば、レンズ駆動部とシャッタ部との間に、磁気遮蔽板が設けられている。このため、磁気遮蔽板が、レンズ駆動部からシャッタ部への磁界の漏洩、または、その逆の磁界の漏洩を低減する。従って、漏洩した磁界による、シャッタ部またはレンズ駆動部の誤作動を防ぐことができる。
【００２７】
本発明のカメラモジュールでは、レンズ駆動部は、撮像レンズの全駆動範囲内において、撮像レンズと磁気遮蔽板とが互いに接触しないように、撮像レンズを駆動することが好ましい。
【００２８】
上記の発明によれば、撮像レンズの全可動範囲において、撮像レンズと磁気遮蔽板とが互いに接触しない。つまり、撮像レンズと磁気遮蔽板との間には、常に隙間が形成される。これにより、撮像レンズが、磁気遮蔽板に接触しない。従って、撮像レンズの位置ずれ（焦点調整のずれ）を防ぐことができる。
【００２９】
本発明のカメラモジュールでは、上記磁気遮蔽板は、光路上に開口が形成されており、
上記磁気遮蔽板の開口の直径は、レンズ駆動部に形成された撮像レンズを保持するための開口の直径よりも小さく、撮像レンズの突出部の直径よりも大きいことが好ましい。
【００３０】
上記の発明によれば、磁気遮蔽板の開口の直径は、レンズ駆動部に形成された撮像レンズを保持するための開口の直径よりも小さく、撮像レンズの突出部の直径よりも大きい。これにより、磁気遮蔽板の面積を広くすることができる。従って、磁気遮蔽板による磁気遮蔽効果を高めることができる。
【００３１】
本発明のカメラモジュールでは、上記レンズ駆動部は、光軸方向に可動の可動部と、可動部を内部に収容する共に光軸方向に光路を確保するための開口が形成された収容部と、可動部を光軸方向に移動させる駆動部とを備え、上記可動部は、内部に上記撮像レンズを保持するレンズバレルと、上記レンズバレルを内部に保持するレンズホルダとを備え、上記収容部は、上記レンズ駆動部の底部を構成すると共に上記開口が形成されたベースを備え、上記レンズホルダの底面に、上記ベースの開口を包囲し、上記ベースの開口から異物が出ていく経路を遮断するように形成された突起、または、上記ベースのレンズホルダの底面との対向面に形成された溝を備える構成であってもよい。
【発明の効果】
【００３２】
本発明のカメラモジュールは、撮像レンズを内部に保持するレンズバレルを、内部に保持し、かつ、光軸方向に駆動するレンズ駆動部と、光路を遮断または開放して、前記撮像レンズに入射する光量を制御するシャッタ部と、前記撮像レンズを通して受光した光信号を電気信号に変換する撮像素子を有する撮像ユニットとを備えたカメラモジュールであって、前記シャッタ部、レンズ駆動部、撮像ユニットが、光軸方向にこの順に積層されており、前記シャッタ部側を上方、前記撮像ユニット側を下方としたとき、前記レンズバレルが、前記シャッタ部側の先端部に、前記レンズ駆動部の有する前記上方側の面から前記シャッタ部側へ突出した突出部を有しており、前記シャッタ部は、前記シャッタ羽根と、前記シャッタ羽根を駆動するための駆動機構と、前記シャッタ羽根および前記駆動機構が収容される中空のケースと、前記ケースの前記上方側の端部に設けられた蓋とを備え、前記シャッタ部における前記ケースの前記下方側の面に、前記レンズバレルの突出部が内部に収容される凹部が形成されており、前記レンズ駆動部は、前記撮像レンズの全可動範囲内において、前記撮像レンズとシャッタ部とが互いに接触しないように、前記撮像レンズを駆動する構成である。それゆえ、メカニカルシャッタとレンズ駆動部とを備えたカメラモジュールにおいて、小型化および薄型化を同時に実現することができるという効果を奏する。
【発明を実施するための最良の形態】
【００３３】
以下、本発明の実施の形態について、図面に基づいて説明する。図１は、本発明のレンズ駆動装置を備えたカメラモジュールの断面図である。
【００３４】
図１のように、本実施形態のカメラモジュール１は、メカニカルシャッタ（シャッタ部）２、レンズユニット（レンズ駆動部）３と、撮像ユニット４とが、光軸方向にこの順に積層された３層構造である。また、本実施形態のカメラモジュール１では、メカニカルシャッタ２と、レンズユニット３との間に、磁気遮蔽板５が設けられている。以下の説明では、便宜上、メカニカルシャッタ２側を上方、撮像ユニット４側を下方とする。
【００３５】
＜メカニカルシャッタ２＞
図３は、メカニカルシャッタ２の断面図であり、上段が光路を開放した状態、下段が光路を遮断した状態を示している。メカニカルシャッタ２は、レンズユニット３に設けられた撮像レンズに入射する光をＯＮ／ＯＦＦ制御するためのものである。具体的には、メカニカルシャッタ２は、裏面（レンズユニット３側の面）の中央部に、凹部２１が形成されている。そして、この凹部２１の両側に、複数枚(図３では２枚）のシャッタ羽根２２，２３と、シャッタ羽根２２，２３を駆動するための駆動機構２４，２５が配置されている。
【００３６】
シャッタ羽根２２，２３および駆動機構２４，２５は、中空のケース２６内に収容されるとともに固定されている。このケース２６自体が、裏面の中央部に、凹部２１が形成された構造となっている。また、ケース２６の天面には、異物の侵入を防止する等の目的で蓋２６ａが設けられている。
【００３７】
ケース２６の中央部には、光を透過させて光路（図中の一点鎖線）を確保するために、開口２７が形成されている。シャッタ羽根２２，２３にも同様に、光路を確保するために、開口２８，２９形成されている。駆動機構２４，２５が駆動すると、駆動機構２４，２５を軸として、シャッタ羽根２２，２３が光路に対して垂直な面上に回動（揺動）する。そして、図３の上段に示すように、ケース２６に形成された開口２７と、シャッタ羽根２２，２３に形成された開口２８，２９とが重なると、光路が開放される。これにより、外部の光が、メカニカルシャッタ２を通過して、レンズユニット３に入射する。
【００３８】
一方、図３の下段に示すように、ケース２６に形成された開口２７と、シャッタ羽根２２，２３に形成された開口２８，２９とが重ならないときは、外部の光が遮断され、レンズユニット３に入射しない。このようにシャッタ羽根２２，２３を駆動することによって、メカニカルシャッタ２は、レンズユニット３に入射する光をＯＮまたはＯＦＦに制御する。
【００３９】
なお、シャッタ羽根２２，２３は、開口２８，２９が形成された構成に限定されるものではなく、シャッタ羽根２２，２３自体が、光路を遮断する位置にあるか、光路を開放する位置にあるかによって、レンズユニット３に入射する光をＯＮまたはＯＦＦに制御する構成であってもよい。
【００４０】
また、シャッタ羽根２２，２３の一方を、ＮＤ（Ｎｅｕｔｒａｌ  Ｄｅｎｓｉｔｙ）フィルタに交換することによって、フィルタ機能の有無を切り替える構成にすることもできる。また、シャッタ羽根２２，２３およびＮＤフィルタの合計は、２枚に限定されるものではなく、３枚以上であってもよい。
【００４１】
また、駆動機構２４，２５の詳細な構造は図示しないが、例えば、ムービングマグネット式、または、ムービングコイル式の構造とすることができる。ムービングマグネット式の駆動機構２４，２５は、磁石をロータとして回転力を与えて、シャッタ羽根２２，２３を駆動する。一方、ムービングコイル式の駆動機構２４，２５は、コイルを可動部として、シャッタ羽根２２，２３回転力を与えて、シャッタ羽根２２，２３を駆動する。
【００４２】
なお、本実施形態では、メカニカルシャッタ２（ケース２６）の裏面全域に、磁気遮蔽板５が接着されている。
【００４３】
＜レンズユニット３＞
次に、レンズユニット３について説明する。図４は、レンズユニット３および撮像ユニット４の断面図である。レンズユニット３は、被写体像を形成する撮像光学系である。つまり、レンズユニット３は、外部からの光を撮像ユニット４の受光面（撮像面）へ導く。レンズユニット３は、光軸方向に可動する可動部と、可動部を内部に収容する収容部と、この可動部を光軸方向に移動させる駆動部とから構成されている。
【００４４】
具体的には、図４のように、レンズユニット３は、複数のレンズ（撮像レンズ）３１を内部に保持したレンズバレル３２が、レンズホルダ３３の内部に固定されているおり、これらが、ベース３９，ヨーク３４，およびカバー３５により形成された空間内に、収容された構成となっている。なお、本実施形態では、複数のレンズ３１を搭載したレンズバレル３２をレンズホルダ３３に固定している。しかし、レンズバレル３２およびレンズホルダ３３の一方におねじ、他方にめねじを形成しておき、レンズホルダ３３に対してレンズバレル３２の高さを調整可能にしてもよい。
【００４５】
レンズバレル３２は、内部にレンズ３１を保持するための枠体である。一方、レンズホルダ３３は、レンズ３１を保持したレンズバレル３２を、内部に保持している。レンズ３１は、レンズバレル３２およびレンズホルダ３３の中央部に配置される。レンズバレル３２およびレンズホルダ３３は、いずれも中空（筒状）の部材である。
【００４６】
後述のように、レンズ３１の先端部（レンズ３１およびレンズバレル３２先端部）は、レンズユニット３の天面（カバー３５の上端面）よりも突出した突出部３１ａを構成している。この突出部３１ａは、上述したメカニカルシャッタ２の凹部２１内に収容される。
【００４７】
なお、後述のように、レンズ３１，レンズバレル３２，および、レンズホルダ３３は、光軸方向に移動可能となっており、可動部を構成する。そして、この可動部は、収容部に収容される。具体的には、この収容部は、ベース３９，ヨーク３４，およびカバー３５から構成される。ベース３９は、レンズユニット３の底部を構成する。つまり、ベース３９は、レンズユニット３の光出射側に配置される。
【００４８】
ヨーク３４は、筒状の部材であり、レンズユニット３の側面部を構成している。ヨーク３４は、内部に可動部を収容する。ヨーク３４はベース３９上に固定されている。本実施形態では、ヨーク３４の上方に、カバー３５が設けられている。カバー３５は、レンズユニット３の上部（天面）を構成している。なお、ヨーク３４自体が、カバーの役割を果たすことで、カバー３５を省略してもかまわない。この場合、開口３５ａは、ヨーク３４の内径となる。
【００４９】
ベース３９の中央部には、開口３９ａが存在する。また、カバー３５の中央部にも、開口３５ａが形成されている。開口３９ａおよび開口３５ａは、光を透過させるためのものであり、光軸方向に形成されている。このように、収容部には、光軸方向に、光路を確保するために、光入射側に開口３５ａ、光出射側に開口３９ａが形成されている。このため、レンズ３１，レンズバレル３２，およびレンズホルダ３３の一部が、この開口３５ａから露出している。
【００５０】
次に、駆動部は、コイル３６と永久磁石３７とから構成されている。本実施形態では、コイル３６と永久磁石３７との相互作用によって発生する電磁力によって、レンズ３１（レンズホルダ３３）を光軸方向に駆動することが可能となる。コイル３６は、レンズホルダ３３のフランジ部に固定されている。コイル３６は、光入射側（開口３５ａ側）に延設されている。一方、このコイル３６と対向するように、ヨーク３４の内側面には、永久磁石３７からなる磁気回路が配置されている。
【００５１】
さらに、本実施形態のレンズユニット３では、レンズホルダ３３の上下面（天面および底面）には、板ばね３８ａ，３８ｂが設けられている。板ばね３８ａ，３８ｂは、可動部を光出射側に押圧する押圧部である。板ばね３８ａ，３８ｂは、渦巻状のパターンを有している。各板ばね３８ａ，３８ｂは、一端が可動部に、他端が収容部に固定されていればよい。本実施形態では、板ばね３８ａ，３８ｂは、一端がヨーク３４またはベース３９に、他端がレンズホルダ３３に固定されている。板ばね３８ａ，３８ｂは、弾性力により、補助的にレンズホルダ３３を光軸方向に可動に支持している。
【００５２】
＜撮像ユニット４＞
次に、撮像ユニット４の構成について説明する。撮像ユニット４は、図４のように、レンズユニット３の底面側に設けられており、レンズユニット３によって形成される被写体像を、電気信号に変換する撮像部である。つまり、撮像ユニット４は、レンズユニット３から入射された入射光を光電変換するセンサデバイスである。
【００５３】
撮像ユニット４は、図４に示すように、配線基板４１上に、固体撮像素子４２を備えている。また、固体撮像素子４２は、配線基板４１上に設けられたホルダ４３内に収容される。なお、ホルダ４３の上部には、固体撮像素子４２を覆う透光性部材４４が配置されている。
【００５４】
配線基板４１は、図示しないパターニングされた配線を有する基板である。この配線によって、配線基板４１と固体撮像素子４２とが互いに電気的に接続される。配線基板４１は、例えば、プリント基板，またはセラミック基板などである。
【００５５】
固体撮像素子４２は、レンズユニット３で形成された被写体像を、電気信号に変換するものである。つまり、レンズユニット３のレンズ３１を通して受光した光信号を電気信号に変換するセンサデバイスである。固体撮像素子４２は、例えば、ＣＣＤまたはＣＭＯＳセンサーＩＣである。固体撮像素子４２の表面（上面）には、複数の画素がマトリクス状に配置された受光面（図示せず）が形成されている。この受光面は、レンズユニット３から入射される光を結像する領域であり、画素エリアとも言い換えられる。
【００５６】
固体撮像素子４２は、この受光面（画素エリア）に結像された被写体像を電気信号に変換して、アナログの画像信号として出力する。つまり、この受光面で、光電変換が行われる。固体撮像素子４２の動作は、図示しないＤＳＰで制御され、固体撮像素子４２で生成された画像信号は、ＤＳＰで処理される。
【００５７】
透光性部材４４は、固体撮像素子４２の受光面を覆っており、ガラスなどの透光性部材から構成されている。なお、本実施形態では、透光性部材４４の表面に、赤外線遮断膜（ＩＲカット膜）が形成されている。このため、透光性部材４４は、赤外線を遮断する機能も備えている。
【００５８】
＜磁気遮蔽板５＞
次に、磁気遮蔽板５について説明する。本実施形態のカメラモジュール１では、レンズユニット３が永久磁石３７により可動部を駆動するＶＣＭ方式である。ＶＣＭ方式では永久磁石３７を用いているため、磁界の漏洩がある。一方、メカニカルシャッタ２の駆動機構２４，２５も電磁駆動方式である場合、レンズユニット３の漏洩磁界の作用により、シャッタ羽根２２，２３の閉じ時間が変化したり、シャッタ羽根２２，２３の回動（開閉）に誤動作が生じる恐れがある。
【００５９】
磁気遮蔽板５は、このように、メカニカルシャッタ２とレンズユニット３の両方が、電磁駆動方式である場合、漏洩磁界の作用を軽減することを意図して設けられる。また、磁気遮蔽板５は、メカニカルシャッタ２とレンズユニット３との間に配置する構成が望ましい。これにより、確実に漏洩磁界の作用を軽減することができる。
【００６０】
磁気遮蔽板５は、レンズユニット３の漏洩磁界の大きさ、メカニカルシャッタ２側の磁界耐性の大きさによって、厚さや面積を任意に調整することができる。
【００６１】
以上のように、本実施形態のカメラモジュール１は、メカニカルシャッタ２を備えているため、スミアの発生を防ぐことができる。さらに、レンズユニット３を備えるため、レンズ３１を光軸方向に移動させて焦点調整機能を実現することができる。
【００６２】
さらに、カメラモジュール１は、メカニカルシャッタ２が、レンズユニット３の天面上に設けられている。このため、メカニカルシャッタ２を設けてもレンズユニット３の幅が広がらない。従って、カメラモジュール１が大型化しない。
【００６３】
しかも、レンズ３１の先端部（レンズ３１およびレンズバレル３２先端部）は、レンズユニット３の天面（カバー３５の上端面）よりも突出した突出部３１ａを構成している。しかも、この突出部３１ａが、レンズユニット３の天面（カバー３５の上端面）から突出している。言い換えれば、レンズユニット３の天面（カバー３５の上端面）は、レンズ３１の突出部３１ａよりも低い位置にある。さらに、レンズ３１の突出部３１ａは、メカニカルシャッタ２の裏面に形成された凹部２１内に収容される。このため、レンズユニット３の天面にメカニカルシャッタ２を積層した後のメカニカルシャッタ２およびレンズユニット３の厚さ（見かけ上の厚さ）は、積層前のメカニカルシャッタ２およびレンズユニット３の各々の厚さの合計よりも、レンズユニット３の天面がレンズ３１の突出部３１ａよりも低い分、小さくなる。従って、レンズユニット３上にメカニカルシャッタ２を積層しても、カメラモジュール１が厚くなりすぎない。
【００６４】
すなわち、カメラモジュール１は、レンズ３１およびレンズバレル３２の一部（先端部）が、レンズユニット３の上端面よりも突出しており、メカニカルシャッタ２の凹部２１内に配置された構成である。このように構成することにより、メカニカルシャッタ２のデッドスペースを有効活用し、単純にメカニカルシャッタ２とレンズユニット３とを積層する場合に比べて、カメラモジュール１の厚さを薄くすることができる。また、メカニカルシャッタ２とレンズユニット３とを積層配置しているので、従来のようにレンズユニット３の側方にメカニカルシャッタ２の駆動機構を配置する構成と比べて、カメラモジュールの小型化が可能となる。
【００６５】
従って、メカニカルシャッタ２とレンズユニット３とを備えたカメラモジュール１は、小型化および薄型化を同時に実現することができる。
【００６６】
ここで、図２は、レンズユニット３の駆動部が駆動していないカメラモジュール１の状態（定常状態；ホームポジション）を示している。一方、図５は、レンズユニット３の駆動部が駆動し、レンズ３１（レンズホルダ３３）が最高位置に移動した状態を示す断面図である。
【００６７】
また、本実施形態のカメラモジュール１は、図５のように、レンズユニット３が、レンズ３１の全可動範囲内において、レンズ３１とメカニカルシャッタ２とが互いに接触しないように、レンズ３１を駆動するようになっている。
【００６８】
このようにレンズ３１を駆動すると、レンズ３１の全可動範囲において、レンズ３１とメカニカルシャッタ２とが互いに接触しない。つまり、レンズ３１とメカニカルシャッタ２との間には、常に隙間が形成される。これにより、焦点距離を調整するためにレンズ３１を光軸方向に移動させても、レンズ３１が、メカニカルシャッタ２に接触しない。従って、レンズ３１の位置ずれ（焦点調整のずれ）を防ぐことができる。
【００６９】
また、本実施形態のカメラモジュール１は、レンズユニット３が、電磁力によりレンズ３１を光軸方向に駆動させるようになっている。また、メカニカルシャッタ２も、電磁力により、光路を遮断または開放するようになっている。そして、レンズユニット３とメカニカルシャッタ２との間に、磁気遮蔽板５が設けられている。
【００７０】
このように、レンズユニット３およびメカニカルシャッタ２が、いずれも、電磁力により駆動すると、例えば、レンズユニット３を駆動したときの磁界が漏洩し、漏洩した磁界が、メカニカルシャッタ２を誤作動させる可能性がある。
【００７１】
しかし、カメラモジュール１では、レンズユニット３とメカニカルシャッタ２との間に、磁気遮蔽板５が設けられている。このため、磁気遮蔽板５が、レンズユニット３からメカニカルシャッタ２への磁界の漏洩、または、その逆の磁界の漏洩を低減する。従って、漏洩した磁界による、レンズユニット３またはメカニカルシャッタ２の誤作動を防ぐことができる。
【００７２】
なお、本実施形態では、電磁駆動方式であるＶＣＭ方式のレンズ駆動装置について説明した。しかし、本発明のレンズ駆動装置は、これに限定される訳ではなく、他の方式のレンズ駆動装置にも適用することができる。特に、電磁駆動方式ではないレンズ駆動装置を用いれば、漏洩磁界の問題が生じないため、磁気遮蔽板５を搭載する必要がない。このため、カメラモジュールをさらに薄型化することが可能となる。
【００７３】
しかも、本実施形態のカメラモジュール１は、レンズユニット３が、レンズ３１の全駆動範囲内において、レンズ３１と磁気遮蔽板５とが互いに接触しないように、レンズ３１を駆動するようにもなっている。
【００７４】
このようにレンズ３１を駆動すると、レンズ３１の全可動範囲において、レンズ３１と磁気遮蔽板５とが互いに接触しない。つまり、レンズ３１と磁気遮蔽板５との間には、常に隙間が形成される。これにより、レンズ３１が、磁気遮蔽板５に接触しない。従って、レンズ３１の位置ずれ（焦点調整のずれ）を防ぐことができる。
【００７５】
このように、本実施形態のカメラモジュール１では、レンズ３１が、焦点距離を長くする方向（図の上方向）に駆動されたとき、所定のストローク量にて、レンズユニット３のストッパー機構が働くようになっている。具体的には、図５の例では、レンズホルダ３３の上面に固定された板ばね３８ａと、カバー３５とが当接することにより、ストッパー機構として作用する。この状態が、レンズ３１が最も高い位置となる。そして、この状態において、レンズバレル３２とメカニカルシャッタ２（ケース２６）との間、および、レンズバレル３２と磁気遮蔽板５との間には、隙間が確保されるようになっている。つまり、レンズバレル３２に直接、衝突による衝撃力が加わらないようになっている。レンズバレル３２に衝撃力が加わると、レンズ３１のフォーカス位置が変化する可能性がある。しかし、カメラモジュール１では、そのような衝撃力が加わらないため、フォーカス位置が変化することを防ぐことができる。
【００７６】
なお、本実施形態のカメラモジュール１では、磁気遮蔽板５には、光路上に開口５ａが形成されており、この開口５ａの直径が、レンズユニット３に形成された開口３５ａの直径よりも小さく、かつ、レンズ３１の突出部３１ａの直径よりも大きくなっている。言い換えれば、開口５ａの直径は、メカニカルシャッタ２の凹部２１の径と同等またはほぼ同等である。
【００７７】
ここで、磁気遮蔽板５は、撮像ユニット４上にレンズユニット３を設けた後に、レンズユニット３上に配置する方法と、レンズユニット３およびメカニカルシャッタ２の一方に磁気遮蔽板５を接着させておき、レンズユニット３上へのメカニカルシャッタ２の配置と、レンズユニット３上への磁気遮蔽板５の配置とを同時に行う方法とが考えられる。製造工程を簡略化する上では、後者の方法が好ましい。
【００７８】
しかし、レンズ３１を保持したレンズバレル３２は、撮像ユニット４上に、ベース３９等を接着させた後に、レンズホルダ３３にはめ込まれる。図５のように、磁気遮蔽板５の開口５ａの直径を、レンズユニット３に形成された開口３５ａの直径よりも小さく、かつ、レンズ３１の突出部３１ａの直径よりも大きくするには、メカニカルシャッタ２の裏面に磁気遮蔽板５を接着させておき、レンズユニット３上へのメカニカルシャッタ２の配置と、レンズユニット３上への磁気遮蔽板５の配置とを同時に行うことになる。
【００７９】
そして、図５のように、磁気遮蔽板５の開口５ａの直径を、レンズユニット３に形成された開口３５ａの直径よりも小さく、かつ、レンズ３１の突出部３１ａの直径よりも大きくすれば、磁気遮蔽板５の開口５ａの直径を小さくすることができる。つまり、磁気遮蔽板５の面積を広くすることができる。従って、磁気遮蔽板５による磁気遮蔽効果を高めることができる。なお、この場合、磁気遮蔽板５はメカニカルシャッタ２側に先に装着しておき、レンズユニット３にレンズバレル３２を装着し、フォーカス調整、固定等の作業を実施した後、最後に、メカニカルシャッタ２および磁気遮蔽板５をレンズユニット３の上にかぶせるように配置すればよい。
【００８０】
なお、レンズユニット３の天面に磁気遮蔽板５を接着させておき、レンズユニット３上へのメカニカルシャッタ２の配置と、メカニカルシャッタ２の裏面への磁気遮蔽板５の配置とを同時に行う場合、図６のような構成となる。図６の磁気遮蔽板５の開口５ｂは、図５の磁気遮蔽板５の開口５ａよりも、大きくなる。つまり、磁気遮蔽板５の開口５ｂは、レンズバレル３２の外径（レンズホルダ３３の内径）よりも、大きくなる。このため、図５の開口５ａよりも、開口５ｂの直径が大きくなる。つまり、磁気遮蔽板５の面積が狭くなる。従って、図６の磁気遮蔽板５による磁気遮蔽効果は、図５の磁気遮蔽板５による磁気遮蔽効果よりもやや劣る。
【００８１】
ただし、図５の構成の場合、磁気遮蔽板５の裏面が、レンズユニット３の天面から露出した部分があるのに対し、図６の構成の場合、磁気遮蔽板５がむき出しになっている部分がほとんどない。つまり、図６の構成の場合、磁気遮蔽板５の上面（おもて面）および下面（裏面）が、全域にわたり、メカニカルシャッタ２の裏面またはレンズユニット３の天面と接している。このため、図６の構成では、たとえ磁気遮蔽板５が金属光沢のある部材であっても、磁気遮蔽板５からの反射光が迷光となるリスクがほとんどない。
【００８２】
このように、図６の構成の場合、レンズバレル３２をレンズユニット３に装着する前に、磁気遮蔽板５をレンズユニット３の天面に取り付けることになる。そして、この場合、磁気遮蔽板５には、レンズバレル３２の装着が可能なように、レンズバレル３２の外径よりも大きな径の開口５ｂが形成される。
【００８３】
なお、図５のように、本実施形態のカメラモジュール１では、レンズユニット３は、光軸方向の両端部に、開口（光入射側の開口３５ａ，光出射側の開口３９ａ）が形成されている。このため、光入射側の開口３５ａを介して、外部から、レンズユニット３内に異物が侵入する可能性がある。また、レンズユニット３内から異物が発生することもある。さらに、このような異物は、光出射側の開口３９ａから出て行く可能性がある。
【００８４】
具体的には、カバー３５に形成された開口３５ａから異物が侵入した場合、あるいは、レンズユニット３内から異物が剥がれ落ちた場合、これらの異物が、コイル３６と、ヨーク３４または永久磁石３７との隙間、および、板ばね３８ａ，３８ｂのパターンの隙間等を通って、ベース３９上にまで達する可能性がある。ベース３９上に達した異物が、光出射側の開口３９ａから出て光路内に入ると、シミ不良の原因となる。
【００８５】
そこで、レンズユニット３には、このような異物対策が施されている。すなわち、レンズユニット３は、このような異物対策として、レンズホルダ３３に突起３３ａが形成されている。突起３３ａは、レンズホルダ３３の底面に環状に形成されている。すなわち、この突起３３ａの内径は、ベース３９に形成された光出射側の開口３９ａよりも大きい。しかも、この突起３３ａは、開口３９ａを取り囲むように、開口３９ａの全周にわったって形成されている。これにより、開口３９ａへの異物の移動空間が狭くなる。つまり、突起３３ａが、ベース３９上から開口３９ａ側への異物の移動を妨げる。従って、レンズユニット３内の異物が、開口３９ａから抜け出る可能性を大幅に低減することができる。
【００８６】
なお、異物が開口３９ａから抜け出て、下側に落下した場合、レンズユニット３の下側に設置される固体撮像素子４２、あるいは透光性部材（カバーガラス）４４に付着する。このため、付着した異物が画像として認識され、シミの原因となる。突起３３ａは、このようなシミの発生を大幅に低減することが可能となる。
【００８７】
このように、レンズユニット３では、突起３３ａが、光出射側の開口３９ａを包囲している。さらに、この突起３３ａは、開口３９ａから異物が出ていく経路を遮断するように形成されている。従って、開口３９ａから異物が出ていくのを低減することができる。
【００８８】
しかも、本実施形態のレンズユニット３は、レンズ３１（レンズホルダ３３）が電磁力により、光軸方向に移動する構成である。上述のように、図２は、駆動部が駆動しておらず、レンズ３１（レンズホルダ３３）が移動していない状態（定常状態；ホームポジション）を示している。一方、図５は、駆動部が駆動し、レンズ３１（レンズホルダ３３）が最高位置に移動した状態を示している。つまり、図２の状態は、レンズ機能の未使用状態であり、図５の状態は、レンズ機能の使用状態であるといえる。
【００８９】
レンズユニット３では、図２の定常状態時に、電磁力が作用すると、レンズ３１（レンズホルダ３３）が光軸方向に移動する。これにより、図５のように、レンズホルダ３３が、カバー３５に近接、あるいは接触するまで持ち上がる。そして、レンズユニット３では、図２のように、レンズ機能の未使用状態である定常状態時に、突起３３ａと、ベース３９とが互いに接触している。つまり、駆動部の非駆動時間に、突起３３ａと、ベース３９とが互いに当接する。これにより、定常状態時に、突起３３ａが、異物の移動経路を遮断する。従って、開口３９ａから異物の出ていくのをより確実に低減することができる。
【００９０】
しかも、レンズユニット３は、図２の定常状態時に、突起３３ａがベース３９に当接しつつ、板ばね３８ａ，３８ｂの弾性力により、レンズホルダ３３が下方向に与圧がかけられている。つまり、板ばね３８ａ，３８ｂが、レンズホルダ３３を光出射側に押し付けるように与圧を加える。このため、突起３３ａと、ベース３９とを確実に当接させることができる。これにより、突起が、異物の移動経路をより確実に遮断する。従って、各開口からの異物の出入りをより確実に低減することができる。従って、開口３９ａから異物の出ていくのをより確実に低減することができる。
【００９１】
なお、図５の状態では、突起３３ａによって、ベース３９上の開口３９ａへの異物の移動経路を遮断する効果（開口３９ａに対する蓋効果）はなくなる。しかし、実際のカメラモジュール１００では、レンズ機能の使用時間（例えば、オートフォーカスの動作時間）よりも、未使用時間の方が圧倒的に長い。つまり、大半の時間は、レンズ機能の未使用状態である。このため、少なくとも定常状態時に、突起３３ａが、異物の移動経路を遮断していればよい。これにより、開口３９ａから異物の出ていくのを十分に低減することができる。また、固体撮像素子４２、あるいは透光性部材（カバーガラス）４４側への異物の落下を防ぐこともできる。
【００９２】
さらに、カメラモジュール１では、ベース３９の上面の、永久磁石３７およびコイル３６の直下近傍には、溝３９ｂが形成されており、溝３９ｂ内には粘着性のダストトラップ剤４０が塗布されている。具体的には、レンズユニット３では、ベース３９は、レンズホルダ３３の底面との対向面に、溝３９ｂが形成されている。さらに、この対向面上には凸部も形成されており、この凸部に、板ばね３８ｂが配置されている。このように、ベース３９が凹凸形状になっていれば、ベース３９上から光出射側の開口３９ａへの異物の移動経路が複雑になる。従って、光出射側の開口３９ａから異物が出ていくのを確実に防ぐことができる。
【００９３】
なお、溝３９ｂおよび凸部は、開口３９ａの周囲の全域に形成されていてもよいし、部分的に形成されていてもよい。また、凹凸形状を複雑にすればするほど、開口３９ａから異物が出ていくのを確実に防ぐことができる。
【００９４】
また、溝３９ｂの形成部位は特に限定されるものではないが、レンズユニット３のように、コイル３６、永久磁石３７の真下に形成されていることが好ましい。つまり、溝３９ｂは、レンズホルダ３３のフランジ部およびコイル３６と、永久磁石３７との間に、光軸方向に形成された隙間の真下に形成されていることが好ましい。このように溝３９ｂが形成されていれば、隙間を経由してベース３９上に落下した異物を、落下直後に、溝３９ｂに捕獲することができる。
【００９５】
さらに、ベース３９の表面（レンズホルダ３３の底面との対向面）には、粘着材として、ダストトラップ剤４０が塗布されていることが好ましい。特に、ダストトラップ剤４０は、レンズユニット３のように、溝３９ｂ内に塗布されていることがより好ましい。これにより、ベース３９上に移動した異物を、ダストトラップ剤４０によって捕捉することができる。従って、光出射側の開口３９ａから異物が出ていくのを確実に防ぐことができる。さらに、溝３９ｂにダストトラップ剤４０が塗布されていれば、溝３９ｂに異物を滞留させることができる。つまり、上記の隙間を経由してベース３９上に落下した異物を、落下直後に、溝３９ｂに滞留させることができる。
【００９６】
すなわち、レンズユニット３では、ベース３９上のコイル３６および永久磁石３７の直下近傍にダストトラップ剤４０が塗布されている。このため、コイル３６と永久磁石３７との間の隙間を通ってきた異物がそのまま落下すれば、このダストトラップ剤４０上に落下することになる。これにより、ダストトラップ剤４０が、異物を捕捉する。
【００９７】
ダストトラップ剤４０は、異物の経路中に塗布されていれば、異物を捕捉することができる。また、レンズユニット３では、突起３３ａによって異物の経路が遮断される直前に、ダストトラップ剤４０を塗布されている。このため、行き場のなくなった異物の大半をダストトラップ剤４０で捕捉することが可能となる。
【００９８】
なお、ダストトラップ剤４０は、粘着材を有するものであれば、特に限定されるものではないが、例えば、半固体状（または固体に近い状態）の油脂や樹脂を適用することができる。例えば、グリースが好適である。グリースは、半固体状または液体に近い、油脂の一種であり、例えば、半固体状（または固体に近い状態）、または、ペースト状の潤滑剤から構成することができる。グリースは、例えば、二硫化モリブデン系潤滑剤，白色系潤滑剤，シリコーン系潤滑剤，パーフルオロポリエーテル系潤滑剤などを用いることができる。また、グリースは、鉱油を主成分とする鉱油系グリース，ポリα−オレフィン油を主成分とするポリα−オレフィン系グリース，シリコーンオイルを主成分とするシリコーン系グリース，フルオロシリコーン系グリース，パーフルオロポリエーテルを主成分とするパーフルオロポリエーテル系グリースなどを用いることができる。これらのグリースは、単独または２種以上を混合して用いることができる。また、グリースは、例えば、リチウム石鹸，カルシウム石鹸，ポリテトラフルオロエチレン（ＰＴＦＥ）など、グリース用の添加物を含むものであってもよい。
【００９９】
なお、レンズユニット３では、レンズホルダ３３に突起３３ａが設けられていた。しかし、ベース３９に突起を形成することもできる。また、レンズ機能の使用状態に関係なく（駆動部の駆動状態に関係なく）、開口３９ａへの異物の移動経路を遮断する構成とすることもできる。
【０１００】
以上のように、本発明のカメラモジュールは、メカニカルシャッタとレンズ駆動装置とを積層配置するとともに、撮像レンズあるいはレンズバレルの一部を、メカニカルシャッタの中央に設けられた凹部に配置することで、カメラモジュールの厚さを低減する。また、レンズ駆動装置により撮像レンズを駆動した場合に、レンズバレルに直接、衝撃力が加わらないよう、レンズバレルとメカニカルシャッタ、あるいは磁気遮蔽板との隙間を最適に設定している。
【０１０１】
従って、メカニカルシャッタとオートフォーカス機能を両立させる場合、カメラモジュールの大型化を招く、あるいはカメラモジュールが厚くなるという従来の問題を解決することができる。
【０１０２】
本発明は、以下のように表現することもできる。
〔１〕撮像レンズを有し、前記撮像レンズを光軸方向に駆動するためのレンズ駆動装置と、前記撮像レンズに入射する光をＯＮ／ＯＦＦ制御するためのメカニカルシャッタと、前記撮像レンズを通して入射した光を電気信号に変換するための撮像素子とを備えたメカニカルシャッタ付きカメラモジュールであって、
前記撮像素子と前記レンズ駆動装置と前記メカニカルシャッタとを略光軸方向に積層配置するとともに、前記撮像レンズの一部が、前記メカニカルシャッタの略中央部に設けられた凹部内に配置されていることを特徴とするメカニカルシャッタ付きカメラモジュール。
〔２〕前記レンズ駆動装置における撮像レンズのストローク可動範囲内において、前記撮像レンズと前記メカニカルシャッタとが衝突しないように隙間設定されていることを特徴とする〔１〕に記載のメカニカルシャッタ付きカメラモジュール。
〔３〕前記メカニカルシャッタと前記レンズ駆動装置との間に、磁気遮蔽板を挿入したことを特徴とする〔１〕または〔２〕に記載のメカニカルシャッタ付きカメラモジュール。〔４〕前記レンズ駆動装置における撮像レンズのストローク可動範囲内において、前記撮像レンズと前記磁気遮蔽板とが衝突しないように隙間設定されていることを特徴とする〔３〕に記載のメカニカルシャッタ付きカメラモジュール。
〔５〕前記磁気遮蔽板の略中央部に設けられた光透過用開口の径は、前記メカニカルシャッタの凹部の径と略同等であることを特徴とする〔３〕または〔４〕に記載のメカニカルシャッタ付きカメラモジュール。
【０１０３】
本発明のカメラモジュールは、内部に保持した撮像レンズを光軸方向に駆動するためのレンズ駆動部と、光路を遮断または開放して、撮像レンズに入射する光量を制御するシャッタ部と、撮像レンズを通して受光した光信号を電気信号に変換する撮像素子とを備えたカメラモジュールであって、撮像レンズが、先端部に、レンズ駆動部の天面から突出した突出部を有しており、シャッタ部は、レンズ駆動部の天面上に設けられており、シャッタ部の裏面に、撮像レンズの突出部が内部に収容される凹部が形成されている構成であってもよい。
【０１０４】
本発明のカメラモジュールは、シャッタ部（メカニカルシャッタ）を備えているため、スミアの発生を防ぐことができる。さらに、レンズ駆動部を備えるため、撮像レンズを光軸方向に移動させて焦点調整機能を実現することができる。
【０１０５】
上記の発明によれば、シャッタ部とレンズ駆動部とを備えたカメラモジュールにおいて、シャッタ部が、レンズ駆動部の天面上に設けられている。このため、シャッタ部を設けてもレンズ駆動部の幅が広がらない。従って、シャッタ部を設けてもカメラモジュールが大型化しない。
【０１０６】
しかも、上記の発明によれば、撮像レンズは、突出部を有しており、撮像レンズの先端部が、レンズ駆動部の天面から突出している。言い換えれば、レンズ駆動部の天面は、撮像レンズの突出部よりも低い位置にある。さらに、撮像レンズの突出部は、シャッタ部の裏面に形成された凹部内に収容される。このため、レンズ駆動部の天面にシャッタ部を積層した後のシャッタ部およびレンズ駆動部の厚さ（見かけ上の厚さ）は、積層前のシャッタ部およびレンズ駆動部の各々の厚さの合計よりも、レンズ駆動部の天面が撮像レンズの突出部よりも低い分、小さくなる。従って、レンズ駆動部上にシャッタ部を積層しても、カメラモジュールが厚くなりすぎない。
【０１０７】
このように、上記の発明によれば、メカニカルシャッタとレンズ駆動部とを備えたカメラモジュールにおいて、小型化および薄型化を同時に実現することができる。
【０１０８】
本発明のカメラモジュールでは、レンズ駆動部は、撮像レンズの全可動範囲内において、撮像レンズとシャッタ部とが互いに接触しないように、撮像レンズを駆動することが好ましい。
【０１０９】
上記の発明によれば、撮像レンズの全可動範囲において、撮像レンズとシャッタ部とが互いに接触しない。つまり、撮像レンズとシャッタ部との間には、常に隙間が形成される。これにより、撮像レンズが、シャッタ部に接触しない。従って、撮像レンズの位置ずれ（焦点調整のずれ）を防ぐことができる。
【０１１０】
本発明のカメラモジュールでは、レンズ駆動部は、電磁力により撮像レンズを光軸方向に駆動させるようになっており、
シャッタ部は、電磁力により、光路を遮断または開放するようになっており、
レンズ駆動部とシャッタ部との間に、磁気遮蔽板が設けられていることが好ましい。
【０１１１】
上記の発明によれば、レンズ駆動部およびシャッタ部が、いずれも、電磁力により駆動する。このため、例えば、レンズ駆動部を駆動したときの磁界が漏洩し、漏洩した磁界が、シャッタ部を誤作動させる可能性がある。
【０１１２】
上記の発明によれば、レンズ駆動部とシャッタ部との間に、磁気遮蔽板が設けられている。このため、磁気遮蔽板が、レンズ駆動部からシャッタ部への磁界の漏洩、または、その逆の磁界の漏洩を低減する。従って、漏洩した磁界による、シャッタ部またはレンズ駆動部の誤作動を防ぐことができる。
【０１１３】
本発明のカメラモジュールでは、レンズ駆動部は、撮像レンズの全駆動範囲内において、撮像レンズと磁気遮蔽板とが互いに接触しないように、撮像レンズを駆動することが好ましい。
【０１１４】
上記の発明によれば、撮像レンズの全可動範囲において、撮像レンズと磁気遮蔽板とが互いに接触しない。つまり、撮像レンズと磁気遮蔽板との間には、常に隙間が形成される。これにより、撮像レンズが、磁気遮蔽板に接触しない。従って、撮像レンズの位置ずれ（焦点調整のずれ）を防ぐことができる。
【０１１５】
本発明のカメラモジュールでは、上記磁気遮蔽板は、光路上に開口が形成されており、
上記磁気遮蔽板の開口の直径は、レンズ駆動部に形成された撮像レンズを保持するための開口の直径よりも小さく、撮像レンズの突出部の直径よりも大きいことが好ましい。
【０１１６】
上記の発明によれば、磁気遮蔽板の開口の直径は、レンズ駆動部に形成された撮像レンズを保持するための開口の直径よりも小さく、撮像レンズの突出部の直径よりも大きい。これにより、磁気遮蔽板の面積を広くすることができる。従って、磁気遮蔽板による磁気遮蔽効果を高めることができる。
【０１１７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１８】
本発明は、特に、通信機器をはじめとする携帯用端末に搭載されるカメラモジュールに好適に利用することができ、カメラモジュールの小型化および薄型化を同時に実現するすることができる。
【図面の簡単な説明】
【０１１９】
【図１】本発明のカメラモジュールを示す断面図である。
【図２】図１のカメラモジュールの斜視図である。
【図３】図１のカメラモジュールに搭載されるメカニカルシャッタの断面図である。
【図４】図１のカメラモジュールに搭載されるえレンズユニットおよび撮像ユニットの断面図である。
【図５】図１のカメラモジュールにおいて、撮像レンズが最高位置に移動した状態を示す断面図である。
【図６】本発明の別のカメラモジュールの構成を示す断面図である。
【図７】特許文献１のカメラモジュールの断面図である。
【図８】特許文献２のメカニカルシャッタの断面図である。
【図９】特許文献３のレンズ駆動装置の断面図である。
【符号の説明】
【０１２０】
１  カメラモジュール
２  メカニカルシャッタ
３  レンズユニット
４  撮像ユニット
５  磁気遮蔽板
５ａ  開口
５ｂ  開口
２１  凹部
２２，２３  シャッタ羽根
２４，２５  駆動機構
２６  ケース
２７  開口
２８，２９  開口
３１  レンズ
３１ａ  突出部
３２  レンズバレル
３３  レンズホルダ
３３ａ  突起
３４  ヨーク
３５  カバー
３５ａ  開口
３６  コイル
３７  永久磁石
３９  ベース
３９ａ  開口
【図１】
0005148369.tif 000002
【図２】
0005148369.tif 000003
【図３】
0005148369.tif 000004
【図４】
0005148369.tif 000005
【図５】
0005148369.tif 000006
【図６】
0005148369.tif 000007
【図７】
0005148369.tif 000008
【図８】
0005148369.tif 000009
【図９】
0005148369.tif 000010